(57)【要約】【課題】簡単な構造で円滑に蓋体を開閉操作できる洗濯機を提供すること。【解決手段】洗濯機が、上部に洗濯物投入口（１４）を有する洗濯機本体（２）と、洗濯物投入口（１４）を開閉する板状の蓋体（１５）と、を備える。蓋体（１５）が、この蓋体（１５）の辺縁部に設けられ、洗濯機本体（２）の上部に回動可能に支持された回動軸部（１５１）と、回動軸部（１５１）の直交方向における回動軸部（１５１）に近い方の近端部（１５２）に設けられ、洗濯物投入口（１４）が開放される開放位置（Ｐ１）と洗濯物投入口（１４）が閉鎖される閉鎖位置（Ｐ２）との間の蓋体（１５）の回動を制動可能な制動部（１６）と、を有する。【選択図】図５
2018094198.tif 000002
【特許請求の範囲】
【請求項１】
上部に洗濯物投入口を有する洗濯機本体と、
上記洗濯物投入口を開閉する板状の蓋体と、
を備え、
上記蓋体が、
上記蓋体の辺縁部に設けられ、上記洗濯機本体の上部に回動可能に支持された回動軸部と、
上記回動軸部の直交方向における上記回動軸部に近い方の近端部に設けられ、上記洗濯物投入口が開放される開放位置と上記洗濯物投入口が閉鎖される閉鎖位置との間の上記蓋体の回動を制動可能な制動部と、を有する、洗濯機。
【請求項２】
請求項１に記載の洗濯機において、
上記制動部が、重り部材と、この重り部材を収容する収容部とを有している、洗濯機。
【請求項３】
請求項２に記載の洗濯機において、
上記重り部材が、
上記近端部が上記閉鎖位置よりも上記蓋体の回動方向の上側に位置した状態で上記蓋体の上記回動軸部に対する上記直交方向の両側の部分を釣り合わせるように構成されている、洗濯機。
【請求項４】
請求項１から３のいずれか１つに記載の洗濯機において、
上記蓋体の回動を制動する制動ダンパをさらに備える、洗濯機。
【発明の詳細な説明】
【技術分野】
【０００１】
本発明は、縦型洗濯機に関する。
【背景技術】
【０００２】
特許文献１に記載された縦型洗濯機は、洗濯機本体と、この洗濯機本体の上部に載置したトップカバーと、このトップカバーに開閉自在に配した蓋体とを備えている。この縦型洗濯機では、蓋体の回動を減衰させるトグルばねおよび衝撃緩和ダンパを設けて、衝突音の発生なく、かつ、円滑に蓋体を開閉操作できるようにしている。
【先行技術文献】
【特許文献】
【０００３】
【特許文献１】特許４５１３８７７号公報
【発明の概要】
【発明が解決しようとする課題】
【０００４】
しかし、上記洗濯機では、トグルばねおよび衝撃緩和ダンパを設けているため、構造が複雑になり、製造コストが増加し、組み立てが複雑になるおそれがある。
【０００５】
そこで、本発明の課題は、簡単な構造で円滑に蓋体を開閉操作できる洗濯機を提供することにある。
【課題を解決するための手段】
【０００６】
上記課題を解決するため、本発明の洗濯機は、
上部に洗濯物投入口を有する洗濯機本体と、
上記洗濯物投入口を開閉する板状の蓋体と、
を備え、
上記蓋体が、
上記蓋体の辺縁部に設けられ、上記洗濯機本体の上部に回動可能に支持された回動軸部と、
上記回動軸部の直交方向における上記回動軸部に近い方の近端部に設けられ、上記洗濯物投入口が開放される開放位置と上記洗濯物投入口が閉鎖される閉鎖位置との間の上記蓋体の回動を制動可能な制動部と、を有する。
【発明の効果】
【０００７】
本発明の洗濯機によれば、蓋体の回動軸部の直交方向における回動軸部に近い方の近端部に、洗濯物投入口が開放される開放位置と洗濯物投入口が閉鎖される閉鎖位置との間の蓋体の回動を制動可能な制動部が設けられている。これにより、簡単な構造で円滑に蓋体を開閉操作できる洗濯機を実現できる。
【図面の簡単な説明】
【０００８】
【図１】本発明の一実施形態の洗濯機の斜視図。
【図２】図１の洗濯機の構成を説明するための模式図。
【図３】図１の洗濯機のブロック図。
【図４】図１の洗濯機の上面板の斜視図。
【図５】図４の上面板の断面図。
【図６】図５の部分拡大図。
【図７】図１の洗濯機の上面板の他の例を示す断面図。
【発明を実施するための形態】
【０００９】
以下、本発明を図示の実施形態により詳細に説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１０】
本発明の一実施形態の洗濯機１は、図１に示すように、洗濯機本体２を備える縦型洗濯機である。この洗濯機本体２の内部には、図２に示すように、外槽２０と、この外槽２０の内部に回転可能に設けられた内槽３０とが設けられている。外槽２０および内槽３０は、上部が開口した有底筒状をそれぞれ有しており、上面視における中心が一致するように配置されている。
【００１１】
なお、図１の上下方向を洗濯機１の上下方向とする。また、図１のＸ方向を洗濯機１の左右方向とし、図１のＹ方向を洗濯機１の前後方向とする。
【００１２】
洗濯機本体２は、外箱１０と上面板１１とで構成されている。
【００１３】
外箱１０は、金属または合成樹脂からなり、側面視において直方体形状を有している。外箱１０の上面および底面は開口しており、上面の開口には、合成樹脂製の上面板１１が設けられ、底面の開口には、合成樹脂製のベース１２が設けられている。
【００１４】
上面板１１は、洗濯機１内に洗濯物を投入可能な洗濯物投入口１４と、運転モードの選択等を行うための操作パネル５とを有している。洗濯物投入口１４は、上面視において、上面板の略中央に配置されている。また、操作パネル５は、上面板１１の前隅部に配置されている。
【００１５】
上面板１１の上面の洗濯物投入口１４の後側縁部には、下側に向かって凹む凹部１１１（図５に示す）が設けられている。この凹部１１１は、洗濯機１の前後方向に沿った断面視において略扇形状を有している。また、この凹部１１１内で、洗濯物投入口１４を開閉する蓋体の一例の上蓋１５が、回転可能に支持されている。
【００１６】
また、上面板１１の内部には、電磁的に開閉する給水弁９３が配置されている。給水弁９３の上流側には、上面板１１を貫通して上方に突き出す接続管６１が設けられている。この接続管６１には、水道水などの上水を供給する給水ホース（図示せず）が接続される。また、給水弁９３の下流側は、内槽３０の内部に臨む位置に配置された容器状の給水口（図示せず）に接続されている。
【００１７】
ベース１２は、外箱１０を支えるための脚部１３を有している。この脚部１３は、ベース１２の四隅にそれぞれ配置されている。また、このベース１２の側面には、接続管５３が設けられている。
【００１８】
外槽２０は、その底部に開口する外排水口５１を有し、外箱１０に対してサスペンション部材（図示せず）によって吊り下げられている。このサスペンション部材は、外槽２０の下方と外箱１０の上方とを連結する形で計４箇所に配備され、外槽２０を揺動可能に支持している。
【００１９】
内槽３０は、底部３０１と、この底部３０１の周縁から上方に向かって伸びる周側部３０２と、底部３０１に対向する上部に略円形状の開口部３０３とを有し、洗剤を溶かした水またはすすぎ用の水などの洗濯水が溜められるようになっている。また、この内槽３０には、駆動ユニット４０の脱水軸４４が接続されている。
【００２０】
底部３０１の中央には、正逆方向に回転可能に配置された撹拌翼３が設けられている。この撹拌翼３には、駆動ユニット４０の攪拌翼軸４５が接続されている。また、底部３０１の撹拌翼軸４５の周りには、内排水口５７が設けられている。この内排水口５７には、内槽排水弁８５（図３に示す）が設けられている。周側部３０２には、上部に間隔を空けて配置された複数の脱水孔３１が設けられている。
【００２１】
また、内槽３０の開口部３０３には、環状のバランサ３２が設けられている。このバランサ３２は、内槽３０の脱水軸４４（回転軸）の周方向に延びる環状の管によって構成されている。この環状の管の内部には、洗濯機１の設計等に応じた量の液体（例えば、水）が収容されている。
【００２２】
撹拌翼３は、操作パネル５を介してユーザにより指示された運転コース等に応じて回転する。例えば、洗濯またはすすぎ運転を行う場合、撹拌翼３は、５０〜１５０ｒｐｍの回転速度で、正回転方向および逆回転方向に交互に繰り返し回転する。また、脱水運転を行う場合、撹拌翼３は、内槽３０と一緒に０〜１０００ｒｐｍの回転速度で逆回転方向に回転する。
【００２３】
駆動ユニット４０は、モータ４１と、モータ４１の回転出力を伝達するベルト機構４２と、クラッチ・ブレーキ機構４３と、クラッチ・ブレーキ機構４３の中央部に同軸に配された脱水軸４４および攪拌翼軸４５とを含んでいる。モータ４１は、撹拌翼３および内槽３０を回転させる。また、脱水軸４４および攪拌翼軸４５は、脱水軸４４が外側に配置され、攪拌翼軸４５が内側に配置された二重軸構造となっている。脱水軸４４は、下方から上方に向かって外槽２０底面を貫き、内槽３０を支持している。攪拌翼軸４５は、下方から上方に向かって外槽２０を貫通し、さらに内槽３０の底部３０１を貫き、撹拌翼３を支持している。
【００２４】
また、洗濯機１は、内排水口５７、シールホルダ５４、外排水口５１、配水管５２、および、接続管５３で構成された排水路５０を有している。外排水口５１には、外槽排水弁８６が設けられている。
【００２５】
シールホルダ５４は、外槽２０と内槽３０との間に配置され、外槽２０の外排水口５１に接続されていると共に、内排水口５７を介して内槽３０の内部と連通している。このシールホルダ５４の内側には、オイルシール（図示せず）が圧入され、これにより内槽３０がシールされ、外槽２０と内槽３０との間に独立した排水空間５６が形成されている。
【００２６】
配水管５２は、外槽２０の下側に配置され、外排水口５１と接続管５３とに接続されている。配水管５２の外排水口５１と接続管５３との間には、排水弁５８が設けられている。接続管５３には、排水ホース（図示せず）が接続され、外排水口５１（外槽排水弁８６）、配水管５２、接続管５３、および、排水ホースを介して、外槽２０および内槽３０内の水を外箱１０の外に排水するようになっている。
【００２７】
なお、上記洗濯機１で洗濯またはすすぎ運転を行う場合、排水弁５８が閉じられ、内槽３０内にのみ水が貯められる。また、脱水運転を行う場合、排水弁５８が開かれ、内槽３０内の水は外部に排水される。各運転時に、脱水軸４４、攪拌翼軸４５、および、内槽３０がモータ４１の駆動により回転するが、シールホルダ５４の内側に圧入されたオイルシールにより、内槽３０は、シールホルダ５４に対して相対的に回転可能な状態で、かつ、水密構造を取り続けることができる。
【００２８】
また、洗濯機１は、上面板１１の内部に設けられた制御装置７０を備えている。この制御装置７０は、演算等を行うＣＰＵ、洗濯機１の制御に必要なプログラムあるいはデータ等を記憶しておくＲＯＭおよびＲＡＭ等を有し、図３に示すように、操作パネル５および水位センサ９１からの信号等に基づいて、駆動ユニット４０、ヒートポンプユニット９２、給水弁９３、内槽排水弁８５、および、外槽排水弁８６等を制御する。
【００２９】
続いて、図４〜図６を参照して、洗濯機１の上蓋１５について、詳しく説明する。
【００３０】
上蓋１５は、図４および図５に示すように、略円形の板状で、回動軸部１５１と、制動部１６とを有している。
【００３１】
回動軸部１５１は、上面板１１の左右方向に沿って延びており、図５に示すように、上面板１１の凹部１１１内で、上面板１１に回動可能に支持されている。すなわち、回動軸部１５１は、上蓋１５の辺縁部に設けられ、洗濯機本体２の上部に回動可能に支持されており、その中心が上蓋１５の回動軸Ｃになっている。
【００３２】
制動部１６は、図５に示すように、上蓋１５の回動軸部１５１の直交方向（前後方向）における回動軸部１５１に近い方の近端部１５２に一体に設けられ、洗濯物投入口１４が開放される開放位置Ｐ１と洗濯物投入口１４が閉鎖される閉鎖位置Ｐ２との間における上蓋１５の回動を制動する。
【００３３】
詳しくは、図６に示すように、制動部１６は、重り部材１６１と、この重り部材１６１を収容する収容部１６２とで構成されている。重り部材１６１は、近端部１５２が閉鎖位置Ｐ２よりも回動方向Ａの上側に位置し、かつ、回動軸部１５１の直交方向（前後方向）における回動軸部１５１から遠い方の遠端部１５３が閉鎖位置Ｐ２よりも回動方向Ａの下側に位置した状態で、上蓋１５の回動軸部１５１に対する直交方向（前後方向）の両側の部分を釣り合わせるように構成されている。
【００３４】
すなわち、重り部材１６１は、上蓋１５の回動軸部１５１に対する前後方向の両側部分が釣合位置Ｐ３で釣り合うように、構成かつ配置されている。なお、上蓋１５は、開放位置Ｐ１と閉鎖位置Ｐ２との間を回動する。このため、実際には、上蓋１５が釣合位置Ｐ３に位置することはない。
【００３５】
このように、洗濯機１では、上蓋１５の回動軸部１５１の直交方向における回動軸部１５１に近い方の近端部１５２に、洗濯物投入口１４が開放される開放位置Ｐ１と洗濯物投入口１４が閉鎖される閉鎖位置Ｐ２との間の上蓋１５の回動を制動可能な制動部１６が設けられている。これにより、簡単な構造で円滑に上蓋１５を開閉操作できる洗濯機１を実現できる。
【００３６】
また、制動部１６を、重り部材１６１と収容部１６２とで構成している。これにより、より簡単な構造で円滑に上蓋１５を開閉操作できる洗濯機１を実現できる。
【００３７】
さらに、近端部１５２が閉鎖位置Ｐ２よりも回動方向Ａの上側に位置した状態で上蓋１５の回動軸部１５１に対する直交方向の両側の部分を釣り合わせるように、重り部材１６１を構成している。これにより、上蓋１５の釣合位置が閉鎖位置Ｐ２である場合と比べて、上蓋１５を開放位置Ｐ１から閉鎖位置Ｐ２への回動をより円滑にすることができる。
【００３８】
なお、洗濯機１は、制動ダンパ１７をさらに備えていてもよい。この制動ダンパ１７は、図７に示すように、例えば、上蓋１５の回動軸部１５１周りに設けられ、上蓋１５の回動を制動する。制動ダンパ１７を設けることで、上蓋１５の開閉操作がより円滑になる。
【００３９】
また、重り部材１６１は、金属等の密度の高い材料で構成するのが好ましい。
【００４０】
また、収容部１６２は、重り部材１６１を収容できるものであればよく、上記実施形態のように上蓋１５に一体に設けてもよいし、別体で設けてもよい。
【００４１】
また、重り部材１６１を収容部１６２から着脱可能に構成してもよいし、一旦収容した重り部材１６１を収容部１６２から取り外すことができないように構成してもよい。
【００４２】
また、開放位置Ｐ１は、洗濯物投入口１４が、内槽３０に洗濯物を投入できる程度に開放される位置であればよい。
【００４３】
また、制動部１６は、重り部材１６１と収容部１６２とで構成される場合に限らない。制動部１６は、開放位置Ｐ１と閉鎖位置Ｐ２との間の上蓋１５の回動を制動可能な構成であれば、任意に採用できる。
【００４４】
本発明は、上記実施形態の洗濯機１に限らず、任意の構成を有する縦型の洗濯機に適用できる。
【００４５】
以上、図面を参照して本発明における種々の実施形態を詳細に説明したが、最後に、本発明の種々の実施形態について説明する。
【００４６】
本発明の第１実施形態の洗濯機は、
上部に洗濯物投入口１４を有する洗濯機本体２と、
上記洗濯物投入口１４を開閉する板状の蓋体１５と、
を備え、
上記蓋体１５が、
上記蓋体１５の辺縁部に設けられ、上記洗濯機本体２の上部に回動可能に支持された回動軸部１５１と、
上記回動軸部１５１の直交方向における上記回動軸部１５１に近い方の近端部１５２に設けられ、上記洗濯物投入口１４が開放される開放位置Ｐ１と上記洗濯物投入口１４が閉鎖される閉鎖位置Ｐ２との間の上記蓋体１５の回動を制動可能な制動部１６と、を有する。
【００４７】
上記第１実施形態の洗濯機によれば、蓋体１５の回動軸部１５１の直交方向における回動軸部１５１に近い方の近端部１５２に、洗濯物投入口１４が開放される開放位置Ｐ１と洗濯物投入口１４が閉鎖される閉鎖位置Ｐ２との間の蓋体１５の回動を制動可能な制動部１６が設けられている。これにより、簡単な構造で円滑に蓋体１５を開閉操作できる洗濯機１を実現できる。
【００４８】
また、本発明の第２実施形態の洗濯機は、
上記制動部１６が、重り部材１６１と、この重り部材１６１を収容する収容部１６２とを有している。
【００４９】
上記第２実施形態の洗濯機によれば、より簡単な構造で円滑に蓋体１５を開閉操作できる洗濯機１を実現できる。
【００５０】
また、本発明の第３実施形態の洗濯機は、
上記重り部材１６１が、
上記近端部１５２が上記閉鎖位置Ｐ２よりも上記蓋体１５の回動方向Ａの上側に位置した状態で上記蓋体１５の上記回動軸部１５１に対する上記直交方向の両側の部分を釣り合わせるように構成されている。
【００５１】
上記第３実施形態の洗濯機によれば、蓋体１５の釣合位置が閉鎖位置Ｐ２である場合と比べて、上蓋１５を開放位置Ｐ１から閉鎖位置Ｐ２への回動をより円滑にすることができる。
【００５２】
また、本発明の第４実施形態の洗濯機は、
上記蓋体１５の回動を制動する制動ダンパ１７をさらに備える。
【００５３】
上記第４実施形態の洗濯機によれば、上蓋１５の開閉操作をより円滑にできる。
【００５４】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００５５】
１  洗濯機
２  洗濯機本体
３  攪拌翼
５  操作パネル
１０  外箱
１１  上面板
１１１  凹部
１２  ベース
１３  脚部
１４  洗濯物投入口
１５  上蓋
１５１  回動軸部
１５２  近端部
１６  制動部
１７  制動ダンパ
２０  外槽
３０  内槽
３０１  底部
３０２  周側部
３０３  開口部
３１  脱水孔
３２  バランサ
４０  駆動ユニット
４１  モータ
４２  ベルト機構
４３  クラッチ・ブレーキ機構
４４  脱水軸
４５  攪拌翼軸
５０  排水路
５１  外排水口
５２  排水管
５３  接続管
５４  シールホルダ
５６  排水空間
５７  内排水口
５８  排水弁
６１  接続管
７０  制御装置
８５  内槽排水弁
８６  外槽排水弁
９１  水位センサ
９２  ヒートポンプユニット
９３  給水弁
Ｃ  回動軸
Ａ  回動方向
Ｐ１  開放位置
Ｐ２  閉鎖位置
Ｐ３  釣合位置
【図１】
2018094198.tif 000003
【図２】
2018094198.tif 000004
【図３】
2018094198.tif 000005
【図４】
2018094198.tif 000006
【図５】
2018094198.tif 000007
【図６】
2018094198.tif 000008
【図７】
2018094198.tif 000009